(57)【特許請求の範囲】
【請求項１】
エレベータのかご扉のかご外面側下部に取り付けられ、エレベータのかご側の敷居とエレベータの乗場側の敷居との間の隙間を塞ぐエレベータ用敷居閉塞体の上面に接し、エレベータのかご扉の開閉の際に敷居閉塞体の上を摺動して敷居閉塞体上の異物を除去する摺動体を備えること、
を特徴とする敷居閉塞体の異物除去装置。
【請求項２】
請求項1に記載の敷居閉塞体の異物除去装置であって、
敷居閉塞体はかご側扉と乗場側扉とを係合させる係合装置のための切り欠きを有し、
摺動体は、エレベータのかご扉の開閉の際に少なくとも切り欠き部の上を移動し、切り欠き部を渡るように位置している異物を切り欠き部から他の部分に移動させること、
を特徴とする敷居閉塞体の異物除去装置。
【請求項３】
請求項２に記載の敷居閉塞体の異物除去装置であって、
摺動体は、その先端が敷居閉塞体に接するブラシまたは弾性体の板であり、
ドアシューと共にかご扉に取り付けられていること、
を特徴とする敷居閉塞体の異物除去装置。
【請求項４】
請求項２に記載の敷居閉塞体の異物除去装置であって、
摺動体は、その先端が敷居閉塞体に接するブラシまたは弾性体の板であり、
かご扉のセーフティーシューと共にかご扉に取り付けられていること、
を特徴とする敷居閉塞体の異物除去装置。
【発明の詳細な説明】
【技術分野】
【０００１】
本発明は、エレベータ用敷居閉塞体の異物除去装置の構造に関する。
【背景技術】
【０００２】
エレベータは、垂直な昇降路の中を乗客や荷物を乗せたかごが上下に移動することによって、乗客や荷物を建物の垂直方向に移動させるものであり、かごには乗降用のかご扉が設けられ、建物の各階には昇降路の開閉を行う乗場側扉が設けられている。そして、エレベータのかごが所定の階に到着すると、かご扉と乗場側扉とが開いて乗客かごに乗降できるように構成されている。かご扉と乗場側扉はいずれもスライド式の扉となっており、各扉はそれぞれかごあるいは乗場の上部に設けられたドアレールから吊り下げられ、かごあるいは乗場の床に設けられた敷居の中に各扉の下端に設けられたスライドシューがスライド可能に嵌まりこむ構成となっている。このような構造のかご扉や乗場側扉では、扉が開くと敷居の溝が露出するので、乗客がこの敷居の溝の中に小さな異物を落とした場合、扉のスライドシューが溝に落下した異物と干渉し、扉の開閉に支障が出る場合があった。このため、扉の下端にブラシを取り付けて扉の開閉の際に扉の下端に敷居の溝に入った異物を除去する敷居清掃装置が提案されている（例えば、特許文献１参照）。
【０００３】
また、エレベータでは、かごが上下方向に移動できるように、かごと乗場との間には隙間が設けられているので、エレベータへの乗降時に乗客がこの隙間の中に物を落としてしまう場合がある。そこで、かごと乗場との隙間を小さくするために、かご扉よりも下側の部分に敷居閉塞体という板状の突起を設け、この隙間に異物が落下しないように構成する場合がある。一方、エレベータにはエレベータが停止階に停止した際に、かご扉と乗場側扉とが略同時に開閉するように、かご扉と乗場側扉とを係合させる係合装置が設けられているので、この部分だけは敷居閉塞体に切り欠きを設ける必要がある。このため、敷居閉塞体の上をスライドする巻き取り式のシャッタを設け、かご扉が開いた際にシャッタを敷居閉塞体の切り欠き部を覆うように引き出し、異物が敷居閉塞体の切り欠き部から昇降路内に落下することを防止する方法が提案されている（例えば、特許文献２参照）。
【先行技術文献】
【特許文献】
【０００４】
【特許文献１】特開平６−６４８７９号公報
【特許文献２】特開２００３−５４８６１号公報
【発明の概要】
【発明が解決しようとする課題】
【０００５】
一方、乗客が金属製のボールペンなどの細長い異物を敷居閉塞体の上に落とした場合、そのボールペンが切り欠き部分を跨いだ状態で敷居閉塞体の上に停止することがある。この状態で、エレベータが上下方向に移動すると、切り欠き部分を跨いで停止している金属製のボールペンに係合装置が接触し、エレベータの上下方向の移動に支障が出てしまう場合がある。特許文献２に記載された従来技術では、このような細長い異物はシャッタの巻き取り機構とシャッタ引き出しアームとの間に挟まってしまい、異物によってシャッタの開閉ができなくなり、その結果、扉の開閉に支障がでてしまうという問題があった。
【０００６】
本発明は、簡便な方法でエレベータの敷居閉塞体の上に落下した異物を除去することを目的とする。
【課題を解決するための手段】
【０００７】
本発明の敷居閉塞体の異物除去装置は、エレベータのかご扉のかご外面側下部に取り付けられ、エレベータのかご側の敷居とエレベータの乗場側の敷居との間の隙間を塞ぐエレベータ用敷居閉塞体の上面に接し、エレベータのかご扉の開閉の際に敷居閉塞体の上を摺動して敷居閉塞体上の異物を除去する摺動体を備えること、を特徴とする。
【０００８】
本発明の敷居閉塞体の異物除去装置において、敷居閉塞体はかご側扉と乗場側扉とを係合させる係合装置のための切り欠きを有し、摺動体は、エレベータのかご扉の開閉の際に少なくとも切り欠き部の上を移動し、切り欠き部を渡るように位置している異物を切り欠き部から他の部分に移動させること、としても好適である。
【０００９】
本発明の敷居閉塞体の異物除去装置において、摺動体は、その先端が敷居閉塞体に接するブラシまたは弾性体の板であり、ドアシューと共にかご扉に取り付けられていること、としても好適であるし、摺動体は、その先端が敷居閉塞体に接するブラシまたは弾性体の板であり、かご扉のセーフティーシューと共にかご扉に取り付けられていること、としても好適である。
【発明の効果】
【００１０】
本発明は、簡便な方法でエレベータの敷居閉塞体の上に落下した異物を除去することができるという効果を奏する。
【図面の簡単な説明】
【００１１】
【図１】本発明の実施形態における敷居閉塞体異物除去装置を示す斜視図である。
【図２】エレベータのかご扉が閉じた状態における本発明の実施形態の敷居閉塞体異物除去装置の位置を示す説明図である。
【図３】エレベータのかご扉が開く際における本発明の実施形態の敷居閉塞体異物除去装置の動作を示す説明図である。
【図４】本発明の実施形態の敷居閉塞体異物除去装置を備えるエレベータのかご扉が開いた状態で敷居閉塞体の上に異物が落下した状態を示す説明図である。
【図５】エレベータのかご扉が閉まる際における本発明の実施形態の敷居閉塞体異物除去装置の動作を示す説明図である。
【図６】本発明の他の実施形態における敷居閉塞体異物除去装置を示す説明図である。
【図７】本発明の他の実施形態における敷居閉塞体異物除去装置を示す説明図である。
【図８】本発明の他の実施形態における敷居閉塞体異物除去装置を示す説明図である。
【発明を実施するための形態】
【００１２】
以下、本発明の実施形態について図面を参照しながら説明する。本実施形態の敷居閉塞体の異物除去装置について説明する前に、エレベータのかご及び敷居閉塞体について説明する。図１に示すようにエレベータのかご１００は、床板１１と、床板１１の上に配置され、溝１３が形成されている敷居１２を備えている。エレベータのかご１００のかご扉３０は、図示しないドアレールから吊り下げられるように取り付けられ、その戸当たり側と戸袋側の下端には敷居１２の溝１３の中を自在に移動するドアシュー１４が嵌まり込んでいる。図１は戸当たり側を示している。ドアシュー１４はかご扉３０の戸当たり側の下端にボルト１６によって取り付けられている。かご１００の床板１１のかご前方側には、床板１１から下方向に伸びる板状の前垂れ１７が取り付けられ、この前垂れ１７のかご前方側あるいはかご外面側の表面には、Ｌ字型でかご扉の開閉方向に伸びる敷居閉塞体１８が取り付けられている。敷居閉塞体１８の１つのフランジは前垂れ１７からかご前方あるいはかご外面側に向って伸び、図示しないエレベータの乗場側の敷居との隙間を埋めるように構成されている。また、図１に示すように、敷居閉塞体１８には図示しない扉係合装置を避けるための切り欠き１９が設けられている。
【００１３】
敷居閉塞体異物除去装置２０は、ドアシュー１４の取り付けブラケット１５に重ねあわされてボルト１６によって共締でかご扉３０の下端の戸当たり側に固定される取り付け板２１と、取り付け板２１からかご前方側あるいはかご外面側に向かって直角に折れ曲がり、その先端が敷居閉塞体１８の上面に向って下方向に伸びるアーム２２と、アーム２２の下端に設けられ、その先端が敷居閉塞体１８の表面に接触するブラシ２３とを備えている。かご扉３０がスライド移動すると敷居閉塞体異物除去装置２０はブラシ２３の先端を敷居閉塞体１８の上面に接触させた状態でかご扉３０と共に左右方向にスライド移動する。敷居閉塞体異物除去装置２０のアーム２２、ブラシ２３の幅は敷居閉塞体１８の幅よりも狭くなっているため、エレベータの走行中に敷居閉塞体異物除去装置２０がエレベータの他の機器に干渉することはない。
【００１４】
図２から図５を参照しながらエレベータのかご１００のかご扉３０の開閉動作と敷居閉塞体異物除去装置２０の動作について説明する。図２に示すように、かご扉３０はかご１００に固定されたドアレール３３からハンガ３１によって吊り下げられている。ハンガ３１の上部にはドアレール３３の上を走行する車輪３２が回転自在に取り付けられており、かご扉３０は図示しない開閉装置によって左右にスライド移動する。かご扉３０が閉まっている状態では、かご扉３０の戸当り側に配置された敷居閉塞体異物除去装置２０は、敷居閉塞体１８に設けられている切り欠き１９の戸当たり側に位置している。
【００１５】
図３に示すように、かご扉３０が開くと、かご扉３０は戸袋３４の中に入り、かご扉３０が移動した後にはかご１００の乗降口３５が現れる。図３に示すように、かご扉３０が全開すると、敷居閉塞体異物除去装置２０は、敷居閉塞体１８の切り欠き１９の戸袋側に移動する。この状態で、乗客は図示しない乗場との間でかご１００への乗降を行う。
【００１６】
図４に示すように、かご１００の乗降口３５から乗降している乗客が例えば金属製のボールペンのような細長い金属製の異物４０を落とすと、その異物４０がかご１００と乗場との間の敷居閉塞体１８の上に落下して、図４に示すように敷居閉塞体１８の切り欠き１９を渡るような状態となる場合がある。その場合、図５に示すように、かご扉３０が閉まりだすと、敷居閉塞体異物除去装置２０は、その先端のブラシ２３で敷居閉塞体１８の上面を擦って異物４０を戸当たり側に向って移動させながら、敷居閉塞体１８の切り欠き１９の戸袋側から戸当たり側に向かって切り欠き部１９の上を移動する。これによって、敷居閉塞体１８の切り欠き１９を渡るような状態となっていた異物４０は切り欠き１９の領域から排除され、切り欠き１９の戸当たり側に移動される。そして、かご扉３０が全閉となると、異物４０は図５に示す敷居閉塞体１８の上のかご扉３０の戸当たり側とかご１００の戸当たり側面との間の位置４１まで移動する。
【００１７】
以上説明したように、本実施形態の敷居閉塞体異物除去装置２０は、簡便な構造で敷居閉塞体１８の切り欠き１９を渡る位置に落下した異物４０を切り欠き１９の領域から排除するので、かご１００が移動した際に異物４０がかご扉と乗場側扉との係合装置にぶつかることを抑制することができる。また、これにより、異物４０によりエレベータが運転中に停止してしまうことを効果的に抑制することができる。
【００１８】
以上説明した実施形態では、敷居閉塞体異物除去装置２０は、かご扉３０の戸当たり側の下端にドアシュー１４の取り付けブラケット１５と共にボルト１６で取り付けられていることとして説明したが、かご扉３０の下端に取り付けられていればドアシュー１４の取り付けブラケット１５と共にボルト１６で共締めするのではなく、敷居閉塞体異物除去装置２０の取り付け板２１を別途かご扉３０の下側に取り付けるようにしてもよい。また、本実施形態では、敷居閉塞体異物除去装置２０は、かご扉３０の戸当たり側に取り付けることとして説明したが、かご扉３０が閉まった際に敷居閉塞体異物除去装置２０が敷居閉塞体１８の切り欠き１９の戸当たり側であり、かご扉３０が開いた際に敷居閉塞体異物除去装置２０が切り欠き１９の戸袋側になるような位置に配置されていれば、戸当たり側に配置されていなくてもよい。
【００１９】
本実施形態では敷居閉塞体異物除去装置２０のブラシ２３は敷居閉塞体１８の上に載っている異物４０を滑らして移動させるものであることから、敷居閉塞体１８をテフロン（登録商標）やシリコンなどの低摩擦材とすることにより効果的に異物４０をスライド移動させることができる。また、テフロン（登録商標）等のテープを敷居閉塞体１８の上面に貼り付けておいても効果的である。
【００２０】
図６を参照しながら本発明の他の実施形態について説明する。図１から図５を参照して説明した実施形態と同様の部分には同様の符号を付して説明は省略する。本実施形態は、図１から図５を参照して説明した実施形態のブラシ２３に代えて、アーム２２の先端を薄い金属板で構成した当て板２５とし、アーム２２の根元部分に板ばね２４を構成するように薄板を折り曲げた部分を設けたものである。本実施形態では、板ばね２４によって当て板２５を敷居閉塞体１８の上面に押し付け、当て板２５の先端を戸当たり方向に折り曲げることによって、当て板２５の戸当たり側の先端２５ａで異物４０を戸当たり方向に効果的に移動させることができる。また、当て板２５の先端２５ａが敷居閉塞体１８の上面に密着するので、薄い異物４０であっても当て板２５の先端２５ａによって容易に戸当たり側に移動させることができる。本実施形態では、当て板２５は薄い金属板として説明したが、弾性体であれば金属板に限られず、樹脂製やゴム製の板であってもかまわない。
【００２１】
図７に示した本発明の他の実施形態は、敷居閉塞体異物除去装置２０の取り付け板２１からかご１００の前面方向に伸びるブラケット２６を設け、このブラケット２６に樹脂製の当て板２７を取り付けたものである。当て板２７の先端は先に図６を参照して説明した実施形態と同様、戸当たり側に曲がり、その先端２８によって異物４０を効果的に移動させるよう構成されている。
【００２２】
図８を参照して本発明の他の実施形態について説明する。図１から図７を参照して説明した実施形態と同様の部分には同様の符号を付して説明は省略する。図１から図７を参照して説明した実施形態は、敷居閉塞体異物除去装置２０をかご扉３０に直接取り付けるようにしたものであるが、本実施形態では、敷居閉塞体異物除去装置２０をかご扉３０の戸当たり側に設けられたセーフティーシュー３６の下端に取り付けるようにしたものである。図８に示すように、セーフティーシュー３６は、かご扉３０のかご前面側あるいはかご外面側にピン３８の周りに回転自在に取り付けられたアーム３７によってかご扉３０のかご前面側あるいはかご外面側に支持され、かご扉３０の戸当たり側から出入りするように取り付けられている。そして、かご扉３０の閉動作中に乗客などがセーフティーシュー３６に接触するとセーフティーシュー３６が押されてかご扉３０側に移動し、検出スイッチ３９がオンとなる。検出スイッチ３９がオンとなると、かご扉３０の開閉装置はかご扉３０の閉動作を停止してかご扉３０の開動作を行う。図８に示すように、セーフティーシュー３６は略かご扉３０の全高さにわたって設けられており、その下端はかご扉３０の下端と略同様の高さとなっている。敷居閉塞体異物除去装置２０は図１に記載したように先端にブラシ２３を取り付けたものでもよいし、図６、図７を参照して説明したように当て板２５、２７を取り付けたものとしてもよい。本実施形態は図１から図７を参照して説明した実施形態と同様の効果を奏する。
【００２３】
また、図６、図７に示したような当て板２５，２７を用いた敷居閉塞体異物除去装置２０をセーフティーシュー３６に取り付けた場合に、異物４０が重いもので移動できないような場合、当て板２５，２７の先端２５ａ，２８が異物４０に引っかかることによってセーフティーシュー３６がかご扉３０の側に移動し、検出スイッチ３９がオンとなって、かご扉３０の開閉装置は閉まりかけたかご扉３０を全開させるので、敷居閉塞体１８の上の異物４０を容易に拾い上げることができるという効果を奏する。
【符号の説明】
【００２４】
１１  床板、１２  敷居、１３  溝、１４  ドアシュー、１５，２６  ブラケット、１６  ボルト、１８  敷居閉塞体、２０  敷居閉塞体異物除去装置、２１  取り付け板、２２，３７  アーム、２３  ブラシ、２５，２７  当て板、２５ａ，２８  先端、３０  かご扉、３１  ハンガ、３２  車輪、３３  ドアレール、３４  戸袋、３５  乗降口、３６  セーフティーシュー、３８  ピン、３９  検出スイッチ、４０  異物、４１  位置、１００  かご。
【図１】
0005492358.tif 000002
【図２】
0005492358.tif 000003
【図３】
0005492358.tif 000004
【図４】
0005492358.tif 000005
【図５】
0005492358.tif 000006
【図６】
0005492358.tif 000007
【図７】
0005492358.tif 000008
【図８】
0005492358.tif 000009